【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
映像情報をコーディングする方法であって、
基準層及び対応する拡張層と関連付けられた映像情報を格納することと、
前記拡張層内のある位置において配置された映像ユニットの値を、第１の重み付け係数によって重みが付けられたイントラ予測値と、ここにおいて、前記イントラ予測値は、前記拡張層における少なくとも１つの追加の映像ユニットに基づいて決定される、及び第２の重み付け係数によって重みが付けられた前記基準層内の共配置された映像ユニットの値と、ここにおいて、前記共配置された映像ユニットは、前記拡張層における前記映像ユニットの前記位置に対応する前記基準層内の位置に位置する、から決定することと、
を備え、
ここにおいて、前記第１及び第２の重み付け係数は、前記映像ユニットの前記位置に基づいて計算され、前記第２の重み付け係数は、寸法のうちの１つにおける総ピクセルサンプル数によって重みが付けられた前記映像ユニットと関連付けられた二次元ピクセル位置に比例し、前記第１の重み付け係数は、前記第２の重み付け係数から決定される、方法。
【請求項２】
前記イントラ予測値は、平面イントラ予測モードに基づいて決定される請求項１に記載の方法。
【請求項３】
前記拡張層における前記少なくとも１つの追加の映像ユニットは、前記拡張層内の前記位置に配置された前記映像ユニットの水平近隣映像ユニット又は垂直近隣映像ユニットである請求項１に記載の方法。
【請求項４】
前記第１及び第２の重み付け係数は、０乃至１であり、好ましくは、前記第１及び第２の重み付け係数を映像ビットストリームにおいてシグナリングすることをさらに備える請求項１に記載の方法。
【請求項５】
前記映像情報に少なくとも部分的に基づいて前記第１及び第２の重み付け係数を導き出すことをさらに備える請求項１に記載の方法。
【請求項６】
前記映像ユニットの前記位置に基づいて予め決定された値のグループから前記第１及び第２の重み付け係数を選択することをさらに備える請求項１に記載の方法。
【請求項７】
前記第１及び第２の重み付け係数（Ｗ１、Ｗ２）をＷ１＝（ｘ＋ｙ）／幅及びＷ２＝１−Ｗ１として計算することをさらに備え、ｘは、映像情報のブロック内のｘ方向に沿った前記映像ユニットの前記位置に対応し、ｙは、前記ブロック内のｙ方向に沿った前記映像ユニットの前記位置に対応し、幅は、前記ブロックの幅に対応する請求項１に記載の方法。
【請求項８】
前記基準層は、基本層を備え、好ましくは、前記拡張層における前記少なくとも１つの追加の映像ユニットに基づく前記イントラ予測値は、予測ユニットから生成される請求項１に記載の方法。
【請求項９】
前記拡張層における前記ピクセルが前記拡張層における少なくとも１つの近隣ピクセルを有さないときに前記基準層における複数のピクセルの平均値に少なくとも部分的に基づいて前記ＥＬにおける前記ピクセルの前記予測値を決定することをさらに備え、好ましくは、前記映像ユニットが左縁及び右縁を有するブロック内に配置され、及び、前記映像ユニットが前記左縁及び右縁のうちの少なくとも１つに沿って配置されるときに前記基準層における複数のピクセルの平均値に少なくとも部分的に基づいて前記ＥＬにおける前記ピクセルの前記予測値を決定することをさらに備える請求項８に記載の方法。
【請求項１０】
前記映像ユニットがピクセル値であるときには前記映像ユニット及び前記映像ユニットに隣接する少なくとも１つの追加の映像ユニットに平滑化フィルタを適用することをさらに備える請求項１に記載の方法。
【請求項１１】
前記映像ユニットがピクセル値でないときには前記平滑化フィルタは適用されない請求項１０に記載の方法。
【請求項１２】
前記基準層及び前記対応する拡張層との間の差分から導き出されたピクセル情報の差分映像層と関連付けられた差分映像情報を格納することと、ここにおいて、前記拡張層とは第１の空間解像度が関連付けられ、前記基準層とは第２の空間解像度が関連付けられる、
前記第１の空間解像度が前記第２の空間解像度と等しくないときには、前記差分映像層に少なくとも部分的に基づいて前記拡張層内の前記位置に配置された前記映像ユニットの値を決定することと、
前記第１の空間解像度が前記第２の空間解像度と等しいときには、前記差分映像層に少なくとも部分的に基づいて前記映像ユニットの前記値を決定しないことと、好ましくは、前記基準層及び前記拡張層は、層識別子と各々関連付けられ、前記プロセッサは、前記層識別子に基づいてコーディング走査パターンを好適に選択するようにさらに構成される、
をさらに備える請求項１に記載の方法。
【請求項１３】
非一時的なコンピュータによって読み取り可能な媒体であって、
基準層及び対応する拡張層と関連付けられた映像情報を格納し、及び、
前記拡張層内のある位置において配置された映像ユニットの値を、（１）第１の重み付け係数によって重みが付けられたイントラ予測値と、ここにおいて、前記イントラ予測値は、前記拡張層における少なくとも１つの追加の映像ユニットに基づいて決定される、及び（２）第２の重み付け係数によって重みが付けられた前記基準層内の共配置された映像ユニットの値と、ここにおいて、前記共配置された映像ユニットは、前記拡張層における前記映像ユニットの前記位置に対応する前記基準層内の位置に位置する、の組み合わせから決定する
ことをコンピュータプロセッサに行わせる映像情報をコーディングするための命令を格納し、
ここにおいて、前記第１及び第２の重み付け係数は、前記映像ユニットの前記位置に基づいて計算され、前記第２の重み付け係数は、寸法のうちの１つにおける総ピクセルサンプル数によって重みが付けられた前記映像ユニットと関連付けられた二次元ピクセル位置に比例し、前記第１の重み付け係数は、前記第２の重み付け係数から決定される、非一時的なコンピュータによって読み取り可能な媒体。
【請求項１４】
映像情報をコーディングするように構成された装置であって、
基準層及び対応する拡張層と関連付けられた映像情報を格納するための手段と、
前記拡張層内のある位置において配置された映像ユニットの値を、（１）第１の重み付け係数によって重みが付けられたイントラ予測値と、ここにおいて、前記イントラ予測値は、前記拡張層における少なくとも１つの追加の映像ユニットに基づいて決定される、及び（２）第２の重み付け係数によって重みが付けられた前記基準層内の共配置された映像ユニットの値と、ここにおいて、前記共配置された映像ユニットは、前記拡張層における前記映像ユニットの前記位置に対応する前記基準層内の位置に位置する、の組み合わせから決定するための手段と、
を備え、
ここにおいて、前記第１及び第２の重み付け係数は、前記映像ユニットの前記位置に基づいて計算され、前記第２の重み付け係数は、寸法のうちの１つにおける総ピクセルサンプル数によって重みが付けられた前記映像ユニットと関連付けられた二次元ピクセル位置に比例し、前記第１の重み付け係数は、前記第２の重み付け係数から決定される、装置。
【請求項１５】
前記イントラ予測値は、平面イントラ予測モードに基づいて決定され、好ましくは、前記拡張層における前記少なくとも１つの追加の映像ユニットは、前記拡張層内の前記位置に配置された前記映像ユニットの水平近隣映像ユニット又は垂直近隣映像ユニットである請求項１４に記載の装置。